(57)【要約】【課題】本体部の両側端と顔との間に隙間が生じにくいマスクを提供する。【解決手段】マスク１は、本体部１０、一対の耳紐２０、及び支持部３２を備えている。本体部１０は、装着者の口を覆う。本体部１０は、各耳紐２０の上端部２０ａが固定された部位である上端固定点１２、及び各耳紐２０の下端部２０ｂが固定された部位である下端固定点１４を有している。一対の耳紐２０は、本体部１０の左右両側に設けられ、装着者の耳に掛けられる。支持部３２は、本体部１０に設けられており、各耳紐２０の中間部の一箇所２０ｃを支持する。支持部３２は、本体部１０の上下方向について上端固定点１２と本体部１０の上端１０ａとの間の領域である上部領域に位置する。【選択図】図１
2020139263.tif 000002
【特許請求の範囲】
【請求項１】
装着者の口を覆う本体部と、
前記本体部の左右両側に設けられ、前記装着者の耳に掛けられる一対の耳紐と、
前記本体部に設けられ、前記各耳紐の中間部の一箇所を支持する第１の支持部と、を備え、
前記本体部は、前記各耳紐の上端部が固定された部位である上端固定点、及び前記各耳紐の下端部が固定された部位である下端固定点を有しており、
前記第１の支持部は、前記本体部の上下方向について前記上端固定点と前記本体部の上端との間の領域である上部領域、又は前記上下方向について前記下端固定点と前記本体部の下端との間の領域である下部領域に位置することを特徴とするマスク。
【請求項２】
請求項１に記載のマスクにおいて、
前記第１の支持部は、前記本体部の側端の近傍に位置するマスク。
【請求項３】
請求項１又は２に記載のマスクにおいて、
前記第１の支持部は、前記本体部の外面側において前記各耳紐の前記一箇所を支持するマスク。
【請求項４】
請求項１乃至３の何れかに記載のマスクにおいて、
前記第１の支持部は、前記上部領域に位置するマスク。
【請求項５】
請求項４に記載のマスクにおいて、
前記本体部の左右方向について、前記第１の支持部は、前記上端固定点の内側に位置するマスク。
【請求項６】
請求項５に記載のマスクにおいて、
前記各耳紐の前記上端部及び前記一箇所を通る直線と、当該上端部を通り前記上下方向に延びる直線とのなす角をαとしたとき、１５°≦α≦４５°であるマスク。
【請求項７】
請求項４に記載のマスクにおいて、
前記本体部の左右方向について、前記第１の支持部は、前記上端固定点と同一の位置に設けられているマスク。
【請求項８】
請求項４乃至６の何れかに記載のマスクにおいて、
前記各耳紐につき複数の前記第１の支持部を備え、
前記複数の第１の支持部は、前記本体部の左右方向について相異なる位置に設けられているマスク。
【請求項９】
請求項４乃至８の何れかに記載のマスクにおいて、
前記本体部に設けられ、前記各耳紐の中間部の他の箇所を支持する第２の支持部を備え、
前記第２の支持部は、前記下部領域に位置するマスク。
【請求項１０】
請求項９に記載のマスクにおいて、
前記第２の支持部は、前記本体部の側端の近傍に位置するマスク。
【請求項１１】
請求項９又は１０に記載のマスクにおいて、
前記第２の支持部は、前記本体部の外面側において前記各耳紐の前記他の箇所を支持するマスク。
【請求項１２】
請求項９乃至１１の何れかに記載のマスクにおいて、
前記本体部の左右方向について、前記第２の支持部は、前記下端固定点の内側に位置するマスク。
【請求項１３】
請求項１２に記載のマスクにおいて、
前記各耳紐の前記下端部及び前記他の箇所を通る直線と、当該下端部を通り前記上下方向に延びる直線とのなす角をβとしたとき、１５°≦β≦４５°であるマスク。
【請求項１４】
請求項９乃至１１の何れかに記載のマスクにおいて、
前記本体部の左右方向について、前記第２の支持部は、前記下端固定点と同一の位置に設けられているマスク。
【請求項１５】
請求項９乃至１３の何れかに記載のマスクにおいて、
前記各耳紐につき複数の前記第２の支持部を備え、
前記複数の第２の支持部は、前記本体部の左右方向について相異なる位置に設けられているマスク。
【請求項１６】
請求項１乃至３の何れかに記載のマスクにおいて、
前記第１の支持部は、前記下部領域に位置するマスク。
【請求項１７】
請求項１６に記載のマスクにおいて、
前記本体部の左右方向について、前記第１の支持部は、前記下端固定点の内側に位置するマスク。
【請求項１８】
請求項１７に記載のマスクにおいて、
前記各耳紐の前記下端部及び前記一箇所を通る直線と、当該下端部を通り前記上下方向に延びる直線とのなす角をβとしたとき、１５°≦β≦４５°であるマスク。
【請求項１９】
請求項１６に記載のマスクにおいて、
前記本体部の左右方向について、前記第１の支持部は、前記下端固定点と同一の位置に設けられているマスク。
【請求項２０】
請求項１６乃至１８の何れかに記載のマスクにおいて、
前記各耳紐につき複数の前記第１の支持部を備え、
前記複数の第１の支持部は、前記本体部の左右方向について相異なる位置に設けられているマスク。
【請求項２１】
請求項１乃至２０の何れかに記載のマスクにおいて、
前記耳紐は、伸縮性を有するマスク。
【請求項２２】
請求項１乃至２１の何れかに記載のマスクにおいて、
前記本体部は、保水材が収容される保水材収容部を有するマスク。
【発明の詳細な説明】
【技術分野】
【０００１】
本発明は、人の鼻や口を覆うマスクに関する。
【背景技術】
【０００２】
従来のマスクとしては、例えば特許文献１に記載されたものがある。同文献に記載されたマスクは、装着者の鼻及び口を覆う本体部と、本体部を装着者の顔に固定するための耳紐とを備えている。本体部は、通気性のシート状素材から形成されている。耳紐は、本体部の左右両側に取り付けられている。
【先行技術文献】
【特許文献】
【０００３】
【特許文献１】特開２０１２−４０１６３号公報
【発明の概要】
【発明が解決しようとする課題】
【０００４】
かかるマスクは、本体部で鼻及び口を覆うことにより、鼻腔内や口腔内に有害粒子（ウィルス、細菌、花粉等）が入り込むのを阻止する機能を有する。しかしながら、本体部の両側端と顔との間に隙間が生じると、当該隙間を通じて、有害粒子が本体部内の空間（本体部と顔との間の空間）に侵入してしまうという問題がある。
【０００５】
本発明は、上記課題に鑑みてなされたものであり、本体部の両側端と顔との間に隙間が生じにくいマスクを提供することを目的とする。
【課題を解決するための手段】
【０００６】
本発明によるマスクは、装着者の口を覆う本体部と、上記本体部の左右両側に設けられ、上記装着者の耳に掛けられる一対の耳紐と、上記本体部に設けられ、上記各耳紐の中間部の一箇所を支持する第１の支持部と、を備え、上記本体部は、上記各耳紐の上端部が固定された部位である上端固定点、及び上記各耳紐の下端部が固定された部位である下端固定点を有しており、上記第１の支持部は、上記本体部の上下方向について上記上端固定点と上記本体部の上端との間の領域である上部領域、又は上記上下方向について上記下端固定点と上記本体部の下端との間の領域である下部領域に位置することを特徴とする。
【０００７】
このマスクにおいては、本体部の上部領域又は下部領域に、耳紐の中間部の一箇所を支持する第１の支持部が設けられている。第１の支持部が上部領域に位置する場合、耳紐が上端固定点から第１の支持部を経由して装着者の耳へと延びるようにすることにより、本体部の上端固定点に対して耳紐から上向きの力を働かせることができる。一方、第１の支持部が下部領域に位置する場合、耳紐が下端固定点から第１の支持部を経由して装着者の耳へと延びるようにすることにより、本体部の下端固定点に対して耳紐から下向きの力を働かせることができる。このように上端固定点又は下端固定点に上下方向外向き（互いに遠ざかる向き）の力を働かせることにより、本体部の両側端を弛みにくくすることができる。
【発明の効果】
【０００８】
本発明によれば、本体部の両側端と顔との間に隙間が生じにくいマスクが実現される。
【図面の簡単な説明】
【０００９】
【図１】本発明によるマスクの一実施形態を示す正面図である。
【図２】支持部３２を示す側面図である。
【図３】支持部３２を示す正面図である。
【図４】本体部１０の上部領域Ｔ１及び下部領域Ｂ１について説明するための図である。
【図５】本体部１０の側端１０ｃの近傍Ｖ１について説明するための図である。
【図６】上端固定点１２と支持部３２との位置関係、及び下端固定点１４と支持部３４との位置関係について説明するための図である。
【図７】支持部３４を示す側面図である。
【図８】支持部３４を示す正面図である。
【図９】図１のマスクの効果を説明するための図である。
【図１０】図１のマスクの効果を説明するための図である。
【図１１】支持部３２及び支持部３４の一変形例を説明するための図である。
【図１２】支持部３２の他の変形例を説明するための図である。
【図１３】支持部３２の他の変形例を説明するための図である。
【発明を実施するための形態】
【００１０】
以下、図面を参照しつつ、本発明の実施形態について詳細に説明する。なお、図面の説明においては、同一要素には同一符号を付し、重複する説明を省略する。
【００１１】
図１は、本発明によるマスクの一実施形態を示す正面図である。マスク１は、本体部１０、一対の耳紐２０、支持部３２（第１の支持部）、及び支持部３４（第２の支持部）を備えている。本体部１０は、装着者の口を覆う。本体部１０は、目、鼻及び口のうち、鼻及び口のみを覆ってもよいし、口のみを覆ってもよい。マスク１の非装着時、本体部１０は、平面的な矩形のシート状をしている。同図は、本体部１０の外面、すなわち装着者の顔に対向する面である内面とは反対側の面を示している。本体部１０は、通気性を有する材料からなる。かかる材料としては、例えば、不織布、紙、又はガーゼを用いることができる。
【００１２】
本体部１０は、上端固定点１２、及び下端固定点１４を有している。上端固定点１２は、本体部１０における各耳紐２０の上端部２０ａが固定された部位である。上端部２０ａは、本体部１０の外面に固定されている。それゆえ、上端固定点１２は、本体部１０の外面に存在する。上端固定点１２に対する耳紐２０（上端部２０ａ）の固定は、例えば溶着（超音波溶着、熱溶着等）により行うことができる。
【００１３】
下端固定点１４は、本体部１０における各耳紐２０の下端部２０ｂが固定された部位である。下端部２０ｂは、本体部１０の外面に固定されている。それゆえ、下端固定点１４は、本体部１０の外面に存在する。下端固定点１４に対する耳紐２０（下端部２０ｂ）の固定は、例えば溶着により行うことができる。
【００１４】
一対の耳紐２０は、本体部１０の左右両側に設けられている。マスク１の装着時、耳紐２０は、装着者の耳に掛けられる。それにより、本体部１０が装着者の顔に固定される。耳紐２０は、伸縮性を有している。耳紐２０としては、例えばゴム紐を用いることができる。
【００１５】
支持部３２は、本体部１０に設けられており、各耳紐２０の中間部の一箇所２０ｃを支持する。耳紐２０の中間部は、耳紐２０における上端部２０ａ及び下端部２０ｂを除いた部分である。支持部３２は、耳紐２０が上端固定点１２から支持部３２を経由して装着者の耳へと延びるように、耳紐２０の箇所２０ｃを外側から支持する。ただし、支持部３２は、耳紐２０を固定しない。すなわち、耳紐２０は、支持部３２に支持された状態で、支持部３２に対して変位することが可能である。それゆえ、耳紐２０が引っ張られることにより、耳紐２０における支持部３２に支持される箇所２０ｃ（支持部３２に接する箇所）は変動する。支持部３２は、本体部１０の外面側において耳紐２０の箇所２０ｃを支持する。
【００１６】
図２及び図３は、それぞれ、支持部３２を示す側面図及び正面図である。図２は、本体部１０の左右方向（図１の左右方向に等しい。）から支持部３２を見た図である。図３は、図１と同様の視点から、すなわち本体部１０の外面側から支持部３２を見た図である。支持部３２は、ビス状をしており、支軸３２ａ及び天板３２ｂを有している。支軸３２ａは、円柱状又は円筒状をしており、本体部１０の外面から天板３２ｂまで延びている。マスク１の装着時、支軸３２ａには、耳紐２０が引っ掛けられる。それにより、耳紐２０が支持部３２に支持される。天板３２ｂは、円板状をしており、正面視（図１参照）で、支軸３２ａから食み出している。詳細には、天板３２ｂの中心軸は支軸３２ａの中心軸の延長線上に存在し、かつ、天板３２ｂの径は支軸３２ａの径よりも大きい。マスク１の装着時、天板３２ｂは、耳紐２０が支軸３２ａから外れないようにするためのストッパーとして機能する。
【００１７】
支軸３２ａに引っ掛かったままの状態で耳紐２０が自由に変位できるように、天板３２ｂと本体部１０との間隔ｄ１（図２参照）は、耳紐２０の太さよりも大きく確保されている。支持部３２は、本体部１０に固定されている。本体部１０に対する支持部３２の固定は、例えば接着（ホットメルト接着等）により行うことができる。あるいは、支軸３２ａが本体部１０を貫通するようにし、反対側（本体部１０の内面側）から受け具を支軸３２ａに嵌合させることにより、本体部１０に支持部３２を固定してもよい。支持部３２の材料としては、例えば、金属、樹脂、紙等を用いることができる。
【００１８】
支持部３２は、本体部１０の上部領域Ｔ１（図４参照）に位置する。上部領域Ｔ１は、本体部１０の上下方向（図１の上下方向に等しい。）について、上端固定点１２と本体部１０の上端１０ａとの間の領域である。すなわち、支持部３２から上端１０ａまでの距離は、上端固定点１２から上端１０ａまでの距離よりも小さい。また、支持部３２は、本体部１０の側端１０ｃの近傍Ｖ１（図５参照）に位置することが好ましい。近傍Ｖ１は、本体部１０の側端１０ｃから２５ｍｍ以内の領域である。
【００１９】
本体部１０の左右方向について、支持部３２は、上端固定点１２の内側に位置する。すなわち、支持部３２から側端１０ｃ（当該支持部３２に近い方の側端１０ｃ）までの距離は、上端固定点１２から側端１０ｃ（当該上端固定点１２に近い方の側端１０ｃ）までの距離よりも大きい。図６に示すように、正面視で、耳紐２０の上端部２０ａ（上端固定点１２）及び箇所２０ｃを通る直線Ｌ１と、上端部２０ａを通り本体部１０の上下方向に延びる直線Ｌ２とのなす角をαとしたとき、１５°≦α≦４５°であることが好ましい。耳紐２０の上端部２０ａから箇所２０ｃまでの部分を緩みなく一直線状に延在させたとき、当該部分は、直線Ｌ１に重なる。なお、図６においては、見やすさのため、天板３２ｂの図示を省略している。
【００２０】
支持部３４は、本体部１０に設けられており、各耳紐２０の中間部の他の箇所２０ｄを支持する。支持部３４は、耳紐２０が下端固定点１４から支持部３４を経由して装着者の耳へと延びるように、耳紐２０の箇所２０ｄを外側から支持する。ただし、支持部３４は、耳紐２０を固定しない。すなわち、耳紐２０は、支持部３４に支持された状態で、支持部３４に対して変位することが可能である。それゆえ、耳紐２０が引っ張られることにより、耳紐２０における支持部３４に支持される箇所２０ｄ（支持部３４に接する箇所）は変動する。支持部３４は、本体部１０の外面側において耳紐２０の箇所２０ｄを支持する。
【００２１】
図７及び図８は、それぞれ、支持部３４を示す側面図及び正面図である。図７は、本体部１０の左右方向から支持部３４を見た図である。図８は、図１と同様の視点から、すなわち本体部１０の外面側から支持部３４を見た図である。支持部３４は、ビス状をしており、支軸３４ａ及び天板３４ｂを有している。支軸３４ａは、円柱状又は円筒状をしており、本体部１０の外面から天板３４ｂまで延びている。マスク１の装着時、支軸３４ａには、耳紐２０が引っ掛けられる。それにより、耳紐２０が支持部３４に支持される。天板３４ｂは、円板状をしており、正面視で、支軸３４ａから食み出している。詳細には、天板３４ｂの中心軸は支軸３４ａの中心軸の延長線上に存在し、かつ、天板３４ｂの径は支軸３４ａの径よりも大きい。マスク１の装着時、天板３４ｂは、耳紐２０が支軸３４ａから外れないようにするためのストッパーとして機能する。
【００２２】
支軸３４ａに引っ掛かったままの状態で耳紐２０が自由に変位できるように、天板３４ｂと本体部１０との間隔ｄ２（図７参照）は、耳紐２０の太さよりも大きく確保されている。支持部３４は、本体部１０に固定されている。本体部１０に対する支持部３４の固定は、例えば接着により行うことができる。あるいは、支軸３４ａが本体部１０を貫通するようにし、反対側から受け具を支軸３４ａに嵌合させることにより、本体部１０に支持部３４を固定してもよい。支持部３４の材料としては、例えば、金属、樹脂、紙等を用いることができる。
【００２３】
支持部３４は、本体部１０の下部領域Ｂ１（図４参照）に位置する。下部領域Ｂ１は、本体部１０の上下方向について、下端固定点１４と本体部１０の下端１０ｂとの間の領域である。すなわち、支持部３４から下端１０ｂまでの距離は、下端固定点１４から下端１０ｂまでの距離よりも小さい。また、支持部３４は、本体部１０の側端１０ｃの近傍Ｖ１（図５参照）に位置することが好ましい。
【００２４】
本体部１０の左右方向について、支持部３４は、下端固定点１４の内側に位置する。すなわち、支持部３４から側端１０ｃ（当該支持部３４に近い方の側端１０ｃ）までの距離は、下端固定点１４から側端１０ｃ（当該下端固定点１４に近い方の側端１０ｃ）までの距離よりも大きい。図６に示すように、正面視で、耳紐２０の下端部２０ｂ（下端固定点１４）及び箇所２０ｄを通る直線Ｌ３と、下端部２０ｂを通り本体部１０の上下方向に延びる直線Ｌ４とのなす角をβとしたとき、１５°≦β≦４５°であることが好ましい。耳紐２０の下端部２０ｂから箇所２０ｄまでの部分を緩みなく一直線状に延在させたとき、当該部分は、直線Ｌ３に重なる。なお、図６においては、見やすさのため、天板３４ｂの図示を省略している。
【００２５】
マスク１の効果を説明する。マスク１においては、本体部１０の上部領域Ｔ１に、耳紐２０の中間部の一箇所２０ｃを支持する支持部３２が設けられている。耳紐２０が上端固定点１２から支持部３２を経由して装着者の耳へと延びるようにすることにより、図９に示すように、本体部１０の上端固定点１２に対して耳紐２０から上向きの力ｆ１を働かせることができる。力ｆ１は、耳紐２０から上端固定点１２に働く力Ｆ１を本体部１０の上下方向と左右方向とに分解したときの上下方向の分力である。なお、図９においても、見やすさのため、天板３２ｂ，３４ｂの図示を省略している。このように上端固定点１２に上下方向外向き（下端固定点１４から遠ざかる向き）の力ｆ１を働かせることにより、本体部１０の両側端１０ｃを弛みにくくすることができる。したがって、本体部１０の両側端１０ｃと顔との間に隙間が生じにくいマスク１が実現されている。
【００２６】
さらに、本体部１０の下部領域Ｂ１に、耳紐２０の中間部の他の箇所２０ｄを支持する支持部３４が設けられている。耳紐２０が下端固定点１４から支持部３４を経由して装着者の耳へと延びるようにすることにより、図９に示すように、本体部１０の下端固定点１４に対して耳紐２０から下向きの力ｆ２を働かせることができる。力ｆ２は、耳紐２０から下端固定点１４に働く力Ｆ２を本体部１０の上下方向と左右方向とに分解したときの上下方向の分力である。このように下端固定点１４にも上下方向外向き（上端固定点１２から遠ざかる向き）の力を働かせることにより、本体部１０の両側端１０ｃを一層弛みにくくすることができる。
【００２７】
このように、マスク１においては、支持部３２，３４を設けて耳紐２０から上端固定点１２及び下端固定点１４に働く力の向きを変換することにより、本体部１０の両側端１０ｃを弛みにくくし、両側端１０ｃの顔に対する密着度を向上させている。
【００２８】
各支持部３２，３４が本体部１０の側端１０ｃの近傍に位置する場合、各支持部３２，３４から装着者の耳までの距離が徒に大きくなるのを避けることができる。当該距離が大きくなると、その分だけ耳紐２０全体の長さを大きくしなければならないため、マスク１の製造コストの面で不利となる。
【００２９】
支持部３２は、本体部１０の外面側において各耳紐２０の箇所２０ｃを支持する。この場合、マスク１の装着時に、支持部３２が顔に触れないという利点がある。同様に、支持部３４は、本体部１０の外面側において各耳紐２０の箇所２０ｄを支持する。この場合、マスク１の装着時に、支持部３４が顔に触れないという利点がある。また、このように支持部３２，３４が本体部１０の外面側に存在する場合、耳紐２０によって本体部１０の側端１０ｃが外面側から押さえられることになる。このことも、両側端１０ｃの顔に対する密着度を向上させるのに有利に働く。
【００３０】
本体部１０の左右方向について、支持部３２は、上端固定点１２の内側に位置している。この場合、支持部３２が耳紐２０から受ける左右方向外向き（一対の支持部３２が互いに遠ざかる向き）の力を大きくすることができる。このことは、本体部１０の上端１０ａの顔に対する密着度を向上させるのに有利である。
【００３１】
敷衍すると、図１０に示すように、耳紐２０が上端固定点１２を引っ張る力Ｆ１（図９参照）の反作用により、支持部３２も耳紐２０（上端部２０ａから箇所２０ｃまでの部分）から力Ｆ１で引っ張られる。このとき、支持部３２が上端固定点１２の内側に位置するため、力Ｆ１を本体部１０の上下方向と左右方向とに分解したときの左右方向の分力ｆ３が左右方向外向きの力となって、支持部３２を左右方向外向きに引っ張るのに寄与する。これに対し、本体部１０の左右方向について支持部３２が上端固定点１２の外側に位置する場合、分力ｆ３の値（外向きを正とする。）が負となるため、分力ｆ３は、支持部３２を左右方向外向きに引っ張るのに寄与しない。このように、支持部３２を上端固定点１２の内側に設けることにより、支持部３２が耳紐２０から受ける左右方向外向きの力を大きくすることができる。なお、図１０においても、見やすさのため、天板３２ｂ，３４ｂの図示を省略している。
【００３２】
直線Ｌ１と直線Ｌ２とのなす角α（図６参照）が大きくなるにつれて、支持部３２に働く左右方向外向きの力ｆ３が大きくなる反面、上端固定点１２に働く上下方向外向きの力ｆ１（図９参照）は小さくなる。それゆえ、力ｆ１の大きさと力ｆ３の大きさとの均衡に鑑みると、１５°≦α≦４５°であることが好ましい。
【００３３】
本体部１０の左右方向について、支持部３４は、下端固定点１４の内側に位置している。この場合、支持部３４が耳紐２０から受ける左右方向外向き（一対の支持部３４が互いに遠ざかる向き）の力を大きくすることができる。このことは、本体部１０の下端１０ｂの顔に対する密着度を向上させるのに有利である。
【００３４】
敷衍すると、図１０に示すように、耳紐２０が下端固定点１４を引っ張る力Ｆ２（図９参照）の反作用により、支持部３４も耳紐２０（下端部２０ｂから箇所２０ｄまでの部分）から力Ｆ２で引っ張られる。このとき、支持部３４が下端固定点１４の内側に位置するため、力Ｆ２を本体部１０の上下方向と左右方向とに分解したときの左右方向の分力ｆ４が左右方向外向きの力となって、支持部３４を左右方向外向きに引っ張るのに寄与する。これに対し、本体部１０の左右方向について支持部３４が下端固定点１４の外側に位置する場合、分力ｆ４の値（外向きを正とする。）が負となるため、分力ｆ４は、支持部３４を左右方向外向きに引っ張るのに寄与しない。このように、支持部３４を下端固定点１４の内側に設けることにより、支持部３４が耳紐２０から受ける左右方向外向きの力を大きくすることができる。
【００３５】
直線Ｌ３と直線Ｌ４とのなす角β（図６参照）が大きくなるにつれて、支持部３４に働く左右方向外向きの力ｆ４が大きくなる反面、下端固定点１４に働く上下方向外向きの力ｆ２（図９参照）は小さくなる。それゆえ、力ｆ２の大きさと力ｆ４の大きさとの均衡に鑑みると、１５°≦β≦４５°であることが好ましい。
【００３６】
耳紐２０は、伸縮性を有している。この場合、耳紐２０の張力（収縮力）により、耳紐２０から上端固定点１２及び下端固定点１４に働く力（Ｆ１，Ｆ２）が大きくなる。このため、上下方向外向きの力ｆ１，ｆ２、及び左右方向外向きの力ｆ３，ｆ４も大きくすることができる。
【００３７】
本発明は、上記実施形態に限定されるものではなく、様々な変形が可能である。上記実施形態において本体部１０は、保水材が収容される袋状ないしポケット状の保水材収容部を有していてもよい。その場合、保水材収容部に保水材を収容した状態でマスクを使用することにより、本体部１０内の空間の湿度を高めることができる。当該空間の湿度を高めることにより、インフルエンザウィルス等の感染力を低下させる効果も期待できる。
【００３８】
上記実施形態においては、本体部１０の左右方向について支持部３２が上端固定点１２の内側に設けられた場合を例示した。しかし、支持部３２は、本体部１０の左右方向について、上端固定点１２と同一の位置に設けられてもよいし、上端固定点１２の外側に設けられてもよい。前者の場合、上述した角α（図６参照）が０となり、上端固定点１２に働く上下方向外向きの力ｆ１を最大化することができる。
【００３９】
上記実施形態においては、本体部１０の左右方向について支持部３４が下端固定点１４の内側に設けられた場合を例示した。しかし、支持部３４は、本体部１０の左右方向について、下端固定点１４と同一の位置に設けられてもよいし、下端固定点１４の外側に設けられてもよい。前者の場合、上述した角β（図６参照）が０となり、下端固定点１４に働く上下方向外向きの力ｆ２を最大化することができる。
【００４０】
上記実施形態においては、各耳紐２０につき１つの支持部３２が設けられた場合を例示した。しかし、例えば図１１に示すように、各耳紐２０につき複数の支持部３２が設けられてもよい。同図においては、各耳紐２０につき２つの支持部３２が設けられている。これらの支持部３２は、本体部１０の左右方向について相異なる位置に設けられている。すなわち、片方の支持部３２から側端１０ｃ（当該支持部３２に近い方の側端１０ｃ）までの距離と、もう片方の支持部３２から側端１０ｃ（当該支持部３２に近い方の側端１０ｃ）までの距離とは、互いに異なっている。この場合、装着者の顔の大きさ等に応じて、耳紐２０の有効長（本体部１０から食み出す部分の長さ）を調整することができる。すなわち、比較的内側に位置する支持部３２（側端１０ｃから遠い方の支持部３２）に耳紐２０を支持させれば耳紐２０の有効長を小さくすることができる一方、比較的外側に位置する支持部３２（側端１０ｃに近い方の支持部３２）に耳紐２０を支持させれば耳紐２０の有効長を大きくすることができる。
【００４１】
上記実施形態においては、各耳紐２０につき１つの支持部３４が設けられた場合を例示した。しかし、例えば図１１に示すように、各耳紐２０につき複数の支持部３４が設けられてもよい。同図においては、各耳紐２０につき２つの支持部３４が設けられている。これらの支持部３４は、本体部１０の左右方向について相異なる位置に設けられている。すなわち、片方の支持部３４から側端１０ｃ（当該支持部３４に近い方の側端１０ｃ）までの距離と、もう片方の支持部３４から側端１０ｃ（当該支持部３４に近い方の側端１０ｃ）までの距離とは、互いに異なっている。この場合、装着者の顔の大きさ等に応じて、耳紐２０の有効長を調整することができる。すなわち、比較的内側に位置する支持部３４（側端１０ｃから遠い方の支持部３４）に耳紐２０を支持させれば耳紐２０の有効長を小さくすることができる一方、比較的外側に位置する支持部３４（側端１０ｃに近い方の支持部３４）に耳紐２０を支持させれば耳紐２０の有効長を大きくすることができる。
【００４２】
上記実施形態においては、支持部３２及び支持部３４が、本体部１０の外面側において耳紐２０の中間部を支持する場合を例示した。しかし、支持部３２及び支持部３４は、本体部１０の内面側において耳紐２０の中間部を支持してもよい。その場合、上端固定点１２及び下端固定点１４は、本体部１０の内面上に存在する。
【００４３】
上記実施形態においては、支持部３２が支軸３２ａ及び天板３２ｂからなる場合を例示した。しかし、支持部３２は、例えば図１２に示すように、ホック状（鉤状）をしていてもよい。同図において支持部３２は、本体部１０の左右方向の内側に向かって屈曲している。かかるホック状の支持部３２は、その垂直部３２ｃに耳紐２０が引っ掛かった状態で、耳紐２０を支持する。支持部３２の水平部３２ｄは、耳紐２０が垂直部３２ｃから外れないようにするためのストッパーとして機能する。垂直部３２ｃに引っ掛かったままの状態で耳紐２０が自由に変位できるように、水平部３２ｄと本体部１０との間隔ｄ３は、耳紐２０の太さよりも大きく確保されている。
【００４４】
支持部３２は、例えば図１３に示すように、ゲート状をしていてもよい。かかるゲート状の支持部３２は、その中を耳紐２０が潜った状態で、耳紐２０を支持する。支持部３２の中を潜ったままの状態で耳紐２０が自由に変位できるように、ゲートの幅ｗ１及び高さｈ１は、耳紐２０の太さよりも大きく確保されている。
【００４５】
また、支持部３２は、本体部１０に形成された穴であってもよい。かかる穴は、当該穴を耳紐２０が通った状態で、耳紐２０を支持する。その場合、耳紐２０が穴を通ったままの状態で円滑に変位できるように、穴の縁に沿って金属製又は樹脂製の補強材を取り付けておくことが好ましい。同様に、支持部３４は、ホック状又はゲート状をしていてもよいし、本体部１０に形成された穴であってもよい。
【００４６】
上記実施形態においては、支持部３２及び支持部３４の双方がマスク１に設けられた場合を例示した。しかし、マスク１には、支持部３２又は支持部３４の何れか一方のみが設けられていてもよい。支持部３４のみが設けられる場合は、支持部３４が「第１の支持部」に相当する。
【００４７】
上記実施形態においては、耳紐２０が伸縮性を有する場合を例示した。しかし、耳紐２０は、伸縮性を有していなくてもよい。その場合、耳紐２０の材料としては、例えば不織布を用いることができる。
【符号の説明】
【００４８】
１  マスク
１０  本体部
１０ａ  上端
１０ｂ  下端
１０ｃ  側端
１２  上端固定点
１４  下端固定点
２０  耳紐
２０ａ  上端部
２０ｂ  下端部
２０ｃ  中間部の一箇所
２０ｄ  中間部の他の箇所
３２  支持部（第１の支持部）
３２ａ  支軸
３２ｂ  天板
３２ｃ  垂直部
３２ｄ  水平部
３４  支持部（第２の支持部）
３４ａ  支軸
３４ｂ  天板
【図１】
2020139263.tif 000003
【図２】
2020139263.tif 000004
【図３】
2020139263.tif 000005
【図４】
2020139263.tif 000006
【図５】
2020139263.tif 000007
【図６】
2020139263.tif 000008
【図７】
2020139263.tif 000009
【図８】
2020139263.tif 000010
【図９】
2020139263.tif 000011
【図１０】
2020139263.tif 000012
【図１１】
2020139263.tif 000013
【図１２】
2020139263.tif 000014
【図１３】
2020139263.tif 000015